(57)【要約】【課題】  データシンクモジュールが設けられないホストとも相互データが交換できるパーソナル携帯用情報端末機及びそのデータ交換方法を提供する。【解決手段】  外部の他システムと収録された情報とを交換できるよう設計されたパーソナル携帯用情報端末機が開示される。パーソナル携帯用情報端末機は，データシンクドライバ及びＵＳＢマスストレージドライバが装着され，ユーザから入力部のシステム転換命令キーを通したシステムＵＳＢマスストレージ転換命令が入力されれば，制御部で予め設けられたＵＳＢマスストレージドライバをドライバ管理者を通してロードする。その後，制御部はホストからＵＳＢクライアントインタフェースを介してＵＳＢマスストレージスペックによるデータ送受信要請があると，ＵＳＢマスストレージドライバを介してホストとデータの送受信を行なう。【選択図】    図３
2004213661.tif 000002
【特許請求の範囲】
【請求項１】
ＵＳＢマスストレージドライバと，
データシンクドライバと，
ホスト側で選択的にＵＳＢマスストレージと認識され得るように，ユーザによりシステム転換命令が入力される入力部と，
通信先のホストとデータを送受信するためのＵＳＢインタフェースと，
前記入力部を介して入力された前記システム転換命令に応じて前記ＵＳＢマスストレージドライバ及び前記データシンクドライバのうちいずれかを選択的にロードし，ロードされたドライバによって前記ホストとのデータ送受信を少なくとも制御する制御部と，
を含むことを特徴とする，パーソナル携帯用情報端末機。
【請求項２】
前記制御部は，前記入力部を介して前記ＵＳＢマスストレージでデータ送受信するよう選択された状態で，前記ホストからデータシンクモジュールのスペックでデータ送受信の要請が伝達された場合，前記データシンクドライバをロードすることを特徴とする，請求項１に記載のパーソナル携帯用情報端末機。
【請求項３】
前記制御部は，前記ロードされたＵＳＢマスストレージドライバを強制的に終了させることを特徴とする，請求項１又は２に記載のパーソナル携帯用情報端末機。
【請求項４】
ＵＳＢマスストレージに少なくとも切換えるシステム転換命令が入力された場合，予め記憶するＵＳＢマスストレージドライバをロードする段階と，
ネットワーク接続されたホストからＵＳＢマスストレージのスペックでデータ送受信の要請が伝達された場合，前記ロードされたＵＳＢマスストレージドライバを介して前記ホストとデータを送受信する段階とを含むことを特徴とする，パーソナル携帯用情報端末機のデータ交換方法。
【請求項５】
前記パーソナル携帯用情報端末機のデータ交換方法は，前記ＵＳＢマスストレージに少なくとも切換えるシステム転換命令に応じて前記ＵＳＢマスストレージドライバがロードされた状態で，ホストからデータシンクドライバのスペックで，データ送受信の要請が伝達された場合，予め記憶するデータシンクドライバをロードする段階と，
ロードされた前記データシンクドライバを介して前記ホストとデータ送受信を行う段階と，
をさらに含むことを特徴とする，請求項４に記載のパーソナル携帯用情報端末機のデータ交換方法。
【請求項６】
前記データシンクドライバをロードする段階は，前記ＵＳＢマスストレージドライバを終了させた後に行なわれることを特徴とする，請求項５に記載のパーソナル携帯用情報端末機のデータ交換方法。
【請求項７】
ＵＳＢマスストレージドライバと，
データシンクドライバと，
ホストとデータを送受信するためのＵＳＢインタフェースと，
前記ホストから前記ＵＳＢインタフェースを介して前記ＵＳＢマスストレージのスペックまたはデータシンクモジュールのスペックのうちいずれか一方で，データ送受信の要請が伝達された場合，送受信要請された前記ＵＳＢマスストレージドライバまたは前記データシンクドライバのうちいずれかを選択的にロードし，該ロードされたドライバによって前記ホストとデータの送受信を少なくとも制御する制御部と，
を含むことを特徴とする，パーソナル携帯用情報端末機。
【請求項８】
ＵＳＢインタフェースと，
入力されたシステム転換命令に応じて選択的にデータシンクドライバがロードされ，該ＵＳＢインタフェースは，データを送受信するため，選択された前記データシンクドライバを介してホストとインタフェースをとることを特徴とする，パーソナル携帯用情報端末機。
【発明の詳細な説明】
【技術分野】
【０００１】
本発明は携帯情報端末にかかり，特に外部システムと情報通信する携帯情報端末およびデータ交換方法に関する。
【背景技術】
【０００２】
ＰＤＡ(Ｐｅｒｓｏｎａｌ  Ｄｉｇｉｔａｌ  Ａｓｓｉｓｔａｎｃｅ)等のパーソナル携帯用情報端末機に，ＰＣ(Ｐｅｒｓｏｎａｌ  Ｃｏｍｐｕｔｅｒ）から新たなアプリケーションをダウンロードし，インストール等アプリケーションを使用可能に格納したり，自体に収録された情報をＰＣのような他のシステムに伝達が必要な場合がある。特に，パーソナル携帯用情報端末機は移動性に優れるという長所を有するが，バッテリ容量の限界や衝撃などによってメモリに収録された情報が失われる恐れがあるため，常に安定的なシステムにデータをバックアップすべき必要がある。この場合，ユーザは二つのシステム間に情報を移動させるためにデータシンクモジュール(ｄａｔａ  ｓｙｎｃｈｒｏｎｉｚａｔｉｏｎ  ｍｏｄｕｌｅ)を用いたり，二つのシステムで全て利用可能な外部記憶装置を通して情報を移動させられた。データシンクモジュールはパーソナル携帯用情報端末機がホストに連結すれば，二つの装置それぞれに内在された情報を相互同期化できるよう設計されたモジュールを指す。
【０００３】
図１は，パーソナル携帯用情報端末機とホストが互いにデータシンクモジュールを通して連結された状態を示すブロック図である。パーソナル携帯用情報端末機１０は，デバイスマネージャ（または、装置管理プログラム）１２-１を有する制御部１２，データシンクドライバ１４，及びＵＳＢクライアントインタフェース１６を備える。そして，ホスト２０はデータシンクモジュール２２-１，デバイスマネージャ２２-２及びドライバマネージャ（または、ドライバ管理プログラム）２２-３を有する制御部２２，データシンクドライバ２４，およびＵＳＢホストインタフェース２６を備える。
【０００４】
図１に示すように，パーソナル携帯用情報端末機１０とホスト２０がネットワークを介して相互接続された状態で，ホスト制御部２２はパーソナル携帯用端末機１０からデータシンクモジュール２２-１が選択されれば，デバイスマネージャ２２-２及びドライバマネージャ２２-３を通してデータシンクドライバ２４をロードした後，ＵＳＢホストインタフェース２６を介してパーソナル携帯用情報端末システム１０とデータの送受信及び同期化を行なうようになる。この際，パーソナル携帯用情報端末システム１０の制御部１２もドライバマネージャ１２-１を通してデータシンクドライバ１４をロードした後，ＵＳＢクライアントインタフェース１６を介してホスト２０とデータの送受信及び同期化を行なうようになる。
【０００５】
図２はパーソナル携帯用情報端末機３０とホスト４０との間に相互データを移動するために，外部記憶装置が用いられる様子を示すブロック図である。外部記憶装置は，ＭＭＣカード５０，ＣＦカード６０，ＵＳＢストレージメディア７０などが用いられる。
【０００６】
図２に示すように，パーソナル携帯用情報端末機３０とホスト４０との情報交換においては主にデータシンクモジュールを用いたり，外部記憶装置を用いて相互情報を交換することができる。
【発明の開示】
【発明が解決しようとする課題】
【０００７】
しかしながら，上述したようにパーソナル携帯用情報端末機とホストとの相互情報交換のためには必ずデータシンクモジュールがホストに設けられているか，または外部記憶装置を駆動させ得るドライバがホストにも設けられていなければ相互にデータが交換できないという問題点があった。
【０００８】
ホストにデータシンクモジュールが設けられていない場合，パーソナル携帯用情報端末機は，ホストとのデータシンクモジュールを介したデータ送受信が不可能であり，外部記憶装置を駆動するためのドライバがない場合，外部記憶装置を通してホストとデータ送受信を行なえなかった。
【０００９】
本発明は，上記問題点に鑑みてなされたものであり，本発明の目的は，データシンクモジュールが設けられていないホストとも相互にデータ交換可能な，新規かつ改良されたパーソナル携帯用情報端末機及びそのデータ交換方法を提供することである。
【課題を解決するための手段】
【００１０】
上記課題を解決するため，本発明の第１の観点によれば，上述した目的を達成するための本発明のパーソナル携帯用情報端末機は，ＵＳＢマスストレージドライバと，データシンクドライバと，ホストでシステムが選択的にＵＳＢマスストレージと認識できるようユーザからシステム転換命令を入力される入力部と，ホストとデータを送受信するためのＵＳＢインタフェース，及び前記入力部を介して入力された前記システム転換命令に応じて前記ＵＳＢマスストレージドライバ及び前記データシンクドライバを選択的にロードし，ロードされたドライバによって前記ホストとデータを送受信できるようシステムを制御する制御部とを含む。
【００１１】
また，前記制御部は前記入力部を通してシステムが前記ＵＳＢマスストレージで動作されるよう選択された状態で前記ホストからデータシンクモジュールスペックによるデータ送受信要請が伝達されれば，前記データシンクドライバをロードする。この際，前記制御部は既にロードされた前記ＵＳＢマスストレージドライバの駆動を強制的に終了させたり，前記ＵＳＢマスストレージドライバ及び前記データシンクドライバが全てロードされた状態で前記データシンクドライバによってデータ送受信が処理されるようにすることもできる。望ましくは，前記ＵＳＢマスストレージドライバの駆動を強制的に終了させることによってシステムリソースを効率的に管理することができる。
【００１２】
上述したようなパーソナル携帯用情報端末機は，システムが連結されるホストによってユーザが選択的に標準のＵＳＢマスストレージ装置またはパーソナル携帯用情報端末機と認識させられるので，データシンクモジュールが設けられないホストでもシステムに収録されたデータを共有できるようにする。
【００１３】
一方，上述した目的を達成するための他の本発明に係るパーソナル携帯用情報端末機は，ＵＳＢマスストレージドライバと，データシンクドライバと，ホストとデータを送受信するためのＵＳＢインタフェース，及び前記ホストから前記ＵＳＢインタフェースを介して前記ＵＳＢマスストレージスペックまたはデータシンクモジュールスペックによるデータ送受信要請が伝達されれば，送受信要請されたスペックによって前記ＵＳＢマスストレージドライバ及び前記データシンクドライバを選択的にロードし，ロードされたドライバによって前記ホストとデータを送受信できるようシステムを制御する制御部とを含む。  前述したようなパーソナル携帯用情報端末機は，ホストから要請されたデータ送受信スペックによってシステムが自動的に該当ドライバをロードするので，ホスト側のデータシンクモジュール設置有無を問わずホストとパーソナル携帯用情報端末機との間に相互情報を自由に共有できるようにする。
【００１４】
上記課題を解決するために，本発明の別の観点によれば，パーソナル携帯用情報端末機は，ＵＳＢマスストレージドライバと，データシンクドライバと，ホスト側で選択的にＵＳＢマスストレージと認識され得るように，ユーザによりシステム転換命令が入力される入力部と，通信先のホストとデータを送受信するためのＵＳＢインタフェースと，入力部を介して入力されたシステム転換命令に応じてＵＳＢマスストレージドライバ及びデータシンクドライバのうちいずれかを選択的にロードし，ロードされたドライバによってホストとのデータ送受信を少なくとも制御する制御部とを含むことを特徴としている。
【００１５】
本発明によれば，パーソナル携帯用情報端末機に備わる入力部からシステム転換命令が生成されると，ＵＳＢマスストレージでデータ送受信するとホストに認識させ，各ドライバを選択的に呼び出し，上記ドライバによってデータ送受信を実行している。かかる構成によれば，データシンクドライバまたはＵＳＢマスストレージドライバのうち一方が存在すれば，ホストとデータ送受信可能となる。
【００１６】
制御部は，入力部を介してＵＳＢマスストレージでデータ送受信するよう選択された状態で，ホストからデータシンクモジュールのスペックでデータ送受信の要請が伝達された場合，データシンクドライバをロードするように構成してもよい。
【００１７】
制御部は，ロードされたＵＳＢマスストレージドライバを強制的に終了させるように構成してもよい。
【００１８】
また，上記課題を解決するために，本発明の別の観点によれば，パーソナル携帯用情報端末機のデータ交換方法は，ＵＳＢマスストレージに少なくとも切換えるシステム転換命令が入力された場合，予め記憶するＵＳＢマスストレージドライバをロードする段階と，ネットワーク接続されたホストからＵＳＢマスストレージのスペックでデータ送受信の要請が伝達された場合，ロードされたＵＳＢマスストレージドライバを介してホストとデータを送受信する段階とを含むことを特徴としている。
【００１９】
パーソナル携帯用情報端末機のデータ交換方法は，ＵＳＢマスストレージに少なくとも切換えるシステム転換命令に応じてＵＳＢマスストレージドライバがロードされた状態で，ホストからデータシンクドライバのスペックで，データ送受信の要請が伝達された場合，予め記憶するデータシンクドライバをロードする段階と，ロードされたデータシンクドライバを介してホストとデータ送受信を行う段階とをさらに含むように構成してもよい。
【００２０】
データシンクドライバをロードする段階は，ＵＳＢマスストレージドライバを終了させた後に行なわれるように構成してもよい。
【００２１】
また，上記課題を解決するために，本発明の別の観点によれば，パーソナル携帯用情報端末機は，ＵＳＢマスストレージドライバと，データシンクドライバと，ホストとデータを送受信するためのＵＳＢインタフェースと，ホストからＵＳＢインタフェースを介してＵＳＢマスストレージのスペックまたはデータシンクモジュールのスペックのうちいずれか一方で，データ送受信の要請が伝達された場合，送受信要請されたＵＳＢマスストレージドライバまたはデータシンクドライバのうちいずれかを選択的にロードし，該ロードされたドライバによってホストとデータの送受信を少なくとも制御する制御部とを含むことを特徴としている。
【００２２】
また，上記課題を解決するために，本発明の別の観点によれば，パーソナル携帯用情報端末機は，ＵＳＢインタフェースと，入力されたシステム転換命令に応じて選択的にデータシンクドライバがロードされ，該ＵＳＢインタフェースは，データを送受信するため，選択されたデータシンクドライバを介してホストとインタフェースをとることを特徴としている。
【００２３】
また，上記課題を解決するために，本発明の別の観点によれば，パーソナル携帯用情報端末機は，ＵＳＢマスストレージドライバと、データシンクドライバと、ホストでシステムが選択的にＵＳＢマスストレージと認識され得るようユーザからシステム転換命令が入力される入力部と、ホストとデータを送受信するためのＵＳＢインタフェースと、入力部を介して入力された前記システム転換命令に応じて前記ＵＳＢマスストレージドライバ及び前記データシンクドライバを選択的にロードし、ロードされたドライバによって前記ホストとデータを送受信できるようシステムを制御する制御部とを含むことを特徴としている。
【００２４】
制御部は、前記入力部を介してシステムが前記ＵＳＢマスストレージで動作されるよう選択された状態で前記ホストからデータシンクモジュールスペックによるデータ送受信要請が伝達されれば、前記データシンクドライバをロードするように構成してもよい。
【００２５】
前記制御部は、システムが前記入力部を介して前記ＵＳＢマスストレージで動作されるよう選択された状態で前記ホストからデータシンクモジュールスペックによるデータ送受信要請が伝達されれば、ロードされた前記ＵＳＢマスストレージドライバを強制的に終了させるように構成してもよい。
【００２６】
また，上記課題を解決するために，本発明の別の観点によれば，パーソナル携帯用情報端末機のデータ交換方法は，システムＵＳＢマスストレージ転換命令が入力されれば、予め装着されたＵＳＢマスストレージドライバをロードする段階と、連結されたホストからＵＳＢマスストレージスペックによるデータ送受信要請が伝達されれば、ロードされた前記ＵＳＢマスストレージドライバを介して前記ホストとデータを送受信する段階とを含むことを特徴としている。
【００２７】
パーソナル携帯用情報端末機のデータ交換方法は，前記システムＵＳＢマスストレージ転換命令に応じて前記ＵＳＢマスストレージドライバがロードされた状態でホストからデータシンクドライバ規格によるデータ送受信要請が伝達されれば、予め装着されたデータシンクドライバをロードする段階と、ロードされた前記データシンクドライバを介して前記ホストとデータ送受信を行う段階とをさらに含むように構成してもよい。
【００２８】
データシンクドライバをロードする段階は、前記ＵＳＢマスストレージドライバを終了させた後に行なわれるように構成してもよい。
【００２９】
また，上記課題を解決するために，本発明の別の観点によれば，パーソナル携帯用情報端末機は，ＵＳＢマスストレージドライバと、データシンクドライバと、ホストとデータを送受信するためのＵＳＢインタフェースと、前記ホストから前記ＵＳＢインタフェースを介して前記ＵＳＢマスストレージスペックまたはデータシンクモジュールスペックによるデータ送受信要請が伝達されれば、送受信要請されたスペックによって前記ＵＳＢマスストレージドライバ及び前記データシンクドライバを選択的にロードし、ロードされたドライバによって前記ホストとデータを送受信できるようシステムを制御する制御部とを含むことを特徴としている。
【００３０】
また，上記課題を解決するために，本発明の別の観点によれば，パーソナル携帯用情報端末機は，ＵＳＢインタフェースと、入力されたデータインタフェース選択命令に応じて選択的にＵＳＢデータドライバをロードし、前記ＵＳＢインタフェースを駆動するために選択された前記ＵＳＢデータドライブを介してＵＳＢホストとデータを送受信するＵＳＢインタフェースとを含むことを特徴としている。
【発明の効果】
【００３１】
以上説明したように，本発明によれば，パーソナル携帯用情報端末機は，予め装着されたデータシンクモジュールを使用してホストと一般ファイル及びＰＩＭＳ(Ｐｅｒｓｏｎａｌ  Ｉｎｆｏｒｍａｔｉｏｎ  Ｍａｎａｇｅｍｅｎｔ  Ｓｙｓｔｅｍ)情報を共有できるのみならず，ホストにデータシンクモジュールが装着されてない場合でも，ＵＳＢホストインタフェースが装着された全てのシステムでＵＳＢマスストレージと認識できて，二つのシステム間の情報共有及び交換することができる。
【発明を実施するための最良の形態】
【００３２】
以下，本発明の好適な実施の形態について，添付図面を参照しながら詳細に説明する。なお，以下の説明及び添付図面において，略同一の機能及び構成を有する構成要素については，同一符号を付することにより，重複説明を省略する。
【００３３】
図３は本実施の形態に係るパーソナル携帯用情報端末機とホストの連結状態を示すブロック図である。図３に示すように，パーソナル携帯用情報端末機１００は，システム転換命令キー１１２を含む入力部１１０，データシンクドライバ１２０，例えば大容量のＵＳＢストレージ（ＣＤ,ＭＯ,メモリなど）に必要なデバイスドライバであるＵＳＢマスストレージドライバ１３０，ＵＳＢクライアントインタフェース１４０，及びドライバマネージャ１５２を有する制御部１５０を備える。
【００３４】
入力部１１０はユーザから機器の動作に対する命令を入力されるための多数の入力キー(図示せず)が設けられ，特にシステムが選択的に個人携帯用情報端末機またはＵＳＢマスストレージ動作できるようユーザから命令を入力されるシステム転換命令キー１１２が設けられる。
【００３５】
データシンクドライバ１２０は制御部１５０のドライバマネージャ１５２によってロードされ，ホスト２００とパーソナル携帯用情報端末機１００との間にデータ同期化及びデータ交換を可能にする。
【００３６】
ＵＳＢマスストレージドライバ１３０は，制御部１５０のドライバマネージャ１５２によってロードされ，ホスト２００側でパーソナル携帯用情報端末機１００をＵＳＢマスストレージと認識した状態でデータインタフェースをとり，データ同期化及びデータ交換を行なえるようにする。
【００３７】
ＵＳＢクライアントインタフェース１４０は，データシンクドライバ１２０またはＵＳＢマスストレージドライバ１３０によって駆動され，ホスト２００とパーソナル携帯用情報端末機１００との間で，データシンクドライバ１２０またはＵＳＢマスストレージドライバ１３０のいずれか一方が選択されたドライバのスペックでデータインタフェースを行なう。
【００３８】
パーソナル携帯用情報端末機１００の制御部１５０は，パーソナル携帯用情報端末機１００の全般を制御し，特にユーザによって入力部１１０のシステム転換命令キー１１２を通して選択されたシステム転換命令に応じてパーソナル携帯用情報端末機１００をパーソナル携帯用情報端末機モードまたはＵＳＢマスストレージモードに転換する。そして，制御部１５０は入力部１１０のシステム転換命令キー１１２を通して選択されたモードによる動作でパーソナル携帯用情報端末機１００がホスト２００とデータインタフェースを行なえるようにする。
【００３９】
図３に示すホスト２００は，ホストＵＳＢデータドライバ２２０と，ＵＳＢホストインタフェース２１０と，制御部２３０とを備える。制御部２３０は，ＵＳＢホストインタフェース２１０を制御するためデバイスマネージャ２３２とドライバマネージャ２３４を備える。特に，ホストＵＳＢデータドライバ２２０は，例えばホストデータシンクドライバまたは標準ホストＵＳＢマスストレージドライバの機能を有しており，ＵＳＢホストインタフェース２１０介して送受されるデータに対して上記機能が発揮され得る。上記ホストデータシンクドライバは，データシンクドライバ１２０とのデータ送受信などの為に機能するドライバであり，上記ＵＳＢマスストレージドライバは，ＵＳＢマスストレージドライバ１３０とのデータ送受信などの為に機能するドライバである。上述した通り，ホスト２００がホストデータシンクドライバを備えずホストＵＳＢマスストレージドライバを含むホストＵＳＢデータドライバ２２０を備える場合でも，標準ＵＳＢホストインタフェース２１０を介して，パーソナル携帯用情報端末機１００はホスト２００と通信できる。
【００４０】
図４は，図３に示したパーソナル携帯用情報端末機の動作を説明するフローチャートである。パーソナル携帯用情報端末機１００はユーザにより入力部１１０のシステム転換命令キー１１２が押下され，システムＵＳＢマスストレージ転換命令が入力されると(Ｓ４１０)，制御部１５０で予め格納されたＵＳＢマスストレージドライバ１３０をドライバマネージャ１５２を通してロードする(Ｓ４２０)。その後，制御部１５０からホスト２００にＵＳＢクライアントインタフェース１４０を通してＵＳＢマスストレージドライバ１３０のスペックによるデータ送受信要請が伝達された場合(Ｓ４３０)，ＵＳＢマスストレージドライバ１３０を介してホスト２００とデータの送受信を行なう(Ｓ４４０)。
【００４１】
一方，制御部１５０はユーザによってシステム転換命令キー１１２で切換えられ，ＵＳＢマスストレージで動作されるようＵＳＢマスストレージドライバ１３０がロードされた状態(Ｓ４２０)でホストからデータシンクドライバ１２０のスペックによるデータ送受信要請が伝達された場合(Ｓ４５０)，以前ロードされたＵＳＢマスストレージドライバ１３０の駆動を終了させ(Ｓ４６０)，ドライバマネージャ１５２を通してデータシンクドライバ１２０をロードする(Ｓ４７０)。この際，必ず既にロードされたＵＳＢマスストレージドライバ１３０の駆動を終了させる必要は必ずしも無く，ＵＳＢマスストレージドライバ１３０及びデータシンクドライバ１２０が全てロードされた状態でデータシンクドライバ１２０を介してデータインタフェースが行なわれるようにすることができる。しかし，小容量のパーソナル携帯用情報端末機のリソースをさらに効率よく管理するためにはＵＳＢマスストレージドライバ１３０の駆動は終了させることが望ましい。その後，制御部はロードされたデータシンクドライバ１２０を介してホスト２００とデータインタフェースをとり，データ送受信またはデータ同期などを行なう(Ｓ４８０)。なお，データ同期とは，自己の端末に記憶されたデータと相手の端末に記憶されたデータとの同期を取ることをいい，過不足なくデータを送受しあうことで，足りないデータを補い合う等によって同期がとられる。
【００４２】
以上のようにユーザがパーソナル携帯用情報端末機１００をＵＳＢマスストレージに転換してＵＳＢマスストレージドライバ１３０がロードされれば，ＵＳＢホストインタフェース２１０が装着されたモードではパーソナル携帯用情報端末機１００をＵＳＢマスストレージと認識するようになり，ＵＳＢストレージは標準的にデフォルトで備わっているので，二つのパーソナル携帯用情報端末１００とホスト２００は相互にデータを自由に交換できるようになる。
【００４３】
一方，本実施の形態に係る変形例によるパーソナル携帯用情報端末機は，ユーザのシステム転換命令なしにホストからデータ送受信要請などにより要求するスペックによってデータのインタフェースを行なうよう具現することも可能である。すなわち，パーソナル携帯用情報端末機にはデータシンクドライバ及びＵＳＢマスストレージドライバを全て記憶し，備えており，そのパーソナル携帯用情報端末機に備わる制御部ではホストから送受信要請されたスペックによってＵＳＢマスストレージドライバ及びデータシンクドライバを選択的にロードする。そしてパーソナル携帯用情報端末機に備わる制御部はロードしたドライバを介してホストとデータを送受信する。この際，入力部には別のシステム転換命令キーを備える必要はない。このようにホストから要求されるデータインタフェースについてパーソナル携帯用情報端末機側でインタフェーススペックを判断して選択的にドライバを自動ロードさせることによって，ユーザはシステムを転換すべき煩わしさを避けながらホストと自由に情報を交換できるようになる。
【００４４】
本実施の形態によれば，パーソナル携帯用情報端末機は，予め装着されたデータシンクモジュールを使ってホストと一般ファイル及びＰＩＭＳ(Ｐｅｒｓｏｎａｌ  Ｉｎｆｏｒｍａｔｉｏｎ  Ｍａｎａｇｅｍｅｎｔ  Ｓｙｓｔｅｍ)情報を共有できるのみならず，ホストにデータシンクモジュールが格納されていない場合でも，ＵＳＢホストインタフェースが装着された全てのパーソナル携帯用情報端末機においてＵＳＢマスストレージとホストに認識させるようにすることができ，情報共有及び交換を可能にすることができる。
【００４５】
以上から，システム転換命令キー，データシンクドライバ，ＵＳＢクライアントインタフェース，ＵＳＢマスストレージドライバ及び制御部を含むパーソナル携帯型情報端末機が提供される。制御部は，ホストから受信する入力命令に応じてドライバマネージャによって，選択的にＵＳＢマスストレージドライバまたはデータシンクドライバをロードする。例えば，パーソナル携帯用情報端末機側でＵＳＢマスストレージ転換命令を，システム転換命令キーを介して入力され得る。次いで，制御部はロードされたＵＳＢマスストレージドライバまたはロードされたデータシンクドライバを介してＵＳＢホストとデータを送受信する。
【００４６】
従って，ホストにデータシンクドライバ等のモジュールが具備されない場合も，具備されたＵＳＢホストインタフェースを介してパーソナル携帯用端末機をＵＳＢマスストレージとして，ホスト側に認識させることで，ホストとパーソナル携帯用端末機との情報交換が可能となる。
【００４７】
アクセスとは，例えば，システムの利用，サーバへの接続，ファイルの参照，ファイルの保存，ファイルの削除，またはファイルの変更など，通信網を介して情報を処理する情報処理を総称していう。
【００４８】
ネットワークは，ホスト２００とパーソナル携帯用情報端末機１００とを相互に双方向通信可能に接続するものであり，典型的にはＡＤＳＬ（Ａｓｙｍｍｅｔｒｉｃ  Ｄｉｇｉｔａｌ  Ｓｕｂｓｃｒｉｂｅｒ  Ｌｉｎｅ）またはＦＴＴＨ（Ｆｉｂｅｒ  Ｔｏ  Ｔｈｅ  Ｈｏｍｅ）などそれに類する方法で接続するインターネットなどの公衆回線網であるが，ＷＡＮ，ＬＡＮ，ＩＰ−ＶＰＮなどの閉鎖回線網も含む。また接続媒体は，ＦＤＤＩ（Ｆｉｂｅｒ  Ｄｉｓｔｒｉｂｕｔｅｄ  Ｄａｔａ  Ｉｎｔｅｒｆａｃｅ）などによる光ファイバケーブル，Ｅｔｈｅｒｎｅｔ（登録商標）による同軸ケーブル又はツイストペアケーブル，もしくはＩＥＥＥ８０２．１１ｂなどによる無線など，有線無線を問わず，衛星通信網なども含む。
【００４９】
以上，添付図面を参照しながら本発明の好適な実施形態について説明したが，本発明はかかる例に限定されない。当業者であれば，特許請求の範囲に記載された技術的思想の範疇内において各種の変更例または修正例を想定し得ることは明らかであり，それらについても当然に本発明の技術的範囲に属するものと了解される。
【００５０】
上記実施形態においては，パーソナル携帯用情報端末機１００，ホスト２００に備わる各部はハードウェアからなる場合を例にあげて説明したが，本発明はかかる例に限定されない。例えば，上記各部は，１又は２以上のモジュールまたはコンポーネントから構成されるプログラムの場合であってもよい。
【産業上の利用可能性】
【００５１】
外部の他システムと収録された情報が交換できるよう設計されたパーソナル携帯用情報端末機及びその情報交換方法に適用できる。
【図面の簡単な説明】
【００５２】
【図１】従来のパーソナル携帯用情報端末機とホストとのデータインタフェースのための連結状態を示す図である。
【図２】パーソナル携帯用情報端末機とホストとの間に相互データが伝達できるよう外部記憶装置が用いられる様子を示す図である。
【図３】本実施の形態に係るパーソナル携帯用情報端末機とホストとのデータインタフェースのための連結状態を示す図である。
【図４】図３に示したパーソナル携帯用情報端末機の動作を説明する順序図である。
【符号の説明】
【００５３】
１０          パーソナル携帯用情報端末機
１００        パーソナル携帯用情報端末機
１２          制御部
２２          制御部
１５０        制御部
２３０        制御部
１２-１      ドライバマネージャ
２２-３      ドライバマネージャ
１５２        ドライバマネージャ
２３４        ドライバマネージャ
１４          データシンクドライバ
２４          データシンクドライバ
１２０        データシンクドライバ
１６          ＵＳＢクライアントインタフェース
１４０        ＵＳＢクライアントインタフェース
２０          ホスト
２００        ホスト
２２-１        データシンクモジュール
２２-２        装置マネージャ
２３２        装置マネージャ
２６          ＵＳＢホストインタフェース
２１０        ＵＳＢホストインタフェース
１１０        入力部
１１２        システム転換命令キー
１３０        ＵＳＢマスストレージドライバ
【図１】
2004213661.tif 000003
【図２】
2004213661.tif 000004
【図３】
2004213661.tif 000005
【図４】
2004213661.tif 000006